(57)【要約】【課題】過去の発行履歴情報の再利用が可能となり、操作性の向上と利便性が図れる定期券発行装置を提供する。【解決手段】交通機関の駅に設置され、係員の操作により入力される発駅、経由駅、着駅等の定期券情報の入力に基づき所望の定期券を発行する定期券発行装置において、定期券情報を入力する入力画面内に発行履歴表示エリアを設け、この発行履歴表示エリアに過去の発行履歴情報を表示し、当該発行履歴情報を現在入力している定期券情報として再利用可能とする。【選択図】図４
2010231372.tif 000002
【特許請求の範囲】
【請求項１】
発行対象となる定期券に記録すべき定期券情報の入力画面を表示する表示手段と、
この表示手段により表示された入力画面により入力される定期券情報を定期券媒体に記録して定期券を発行する発行手段と、
この発行手段により発行された定期券の定期券情報を発行履歴情報として保存する発行履歴保存手段と、
前記表示手段により表示される入力画面内に設けられ、前記発行履歴保存手段に保存された発行履歴情報を表示する発行履歴表示エリアと、
を具備したことを特徴とする定期券発行装置。
【請求項２】
発行対象となる定期券に記録すべき定期券情報の入力画面を表示する表示手段と、
この表示手段により表示された入力画面により入力される定期券情報を定期券媒体に記録して定期券を発行する発行手段と、
この発行手段により発行された定期券の定期券情報を発行履歴情報として保存する発行履歴保存手段と、
前記表示手段により表示される入力画面内に設けられた発行履歴表示エリアと、
係員の操作に応答し、前記発行履歴保存手段に保存された発行履歴情報を検索して前記発行履歴表示エリアに表示し、当該発行履歴情報を現在入力している定期券情報として再利用可能とする制御手段と、
を具備したことを特徴とする定期券発行装置。
【発明の詳細な説明】
【技術分野】
【０００１】
本発明は、たとえば、交通機関の駅に設置され、係員の操作により入力される発駅、経由駅、着駅等の定期券情報の入力に基づき所望の定期券を発行する定期券発行装置に関する。
【背景技術】
【０００２】
一般に、たとえば、交通機関の駅において、係員の操作により通学定期券や通勤定期券等を発行する定期券発行装置にあっては、定期券情報の入力画面等を表示する係員操作画面表示部を有していて、これに表示された入力画面により定期券情報（発駅、経由駅、着駅、通用期間、氏名、年齢、性別等）を入力することにより、当該定期券情報を定期券媒体（磁気式原券、ＩＣカード等）に記録して定期券を発行するようになっている（たとえば、特許文献１参照）。
【先行技術文献】
【特許文献】
【０００３】
【特許文献１】特開平８−１６７０５３号公報
【発明の概要】
【発明が解決しようとする課題】
【０００４】
しかし、係員操作画面表示部には発行操作中の情報表示のみであり、また、過去の発行履歴情報は記憶装置内に保管され、発行操作に流用されない。すなわち、定期券の発行操作は基本的に１枚ごとに完結しており、前回発行した定期券の定期券情報（過去の発行履歴情報）を表示したり参照したりする機能はない。  
また、過去の発行履歴情報を任意に並べ替えたり検索したりする機能がないため、発行状況は後日上位装置での処理後でないと確認が取れない。
【０００５】
そこで、本発明は、過去の発行履歴情報の再利用が可能となり、操作性の向上と利便性が図れる定期券発行装置を提供することを目的とする。
【課題を解決するための手段】
【０００６】
本発明の定期券発行装置は、発行対象となる定期券に記録すべき定期券情報の入力画面を表示する表示手段と、この表示手段により表示された入力画面により入力される定期券情報を定期券媒体に記録して定期券を発行する発行手段と、この発行手段により発行された定期券の定期券情報を発行履歴情報として保存する発行履歴保存手段と、前記表示手段により表示される入力画面内に設けられ、前記発行履歴保存手段に保存された発行履歴情報を表示する発行履歴表示エリアとを具備している。
【０００７】
また、本発明の定期券発行装置は、発行対象となる定期券に記録すべき定期券情報の入力画面を表示する表示手段と、この表示手段により表示された入力画面により入力される定期券情報を定期券媒体に記録して定期券を発行する発行手段と、この発行手段により発行された定期券の定期券情報を発行履歴情報として保存する発行履歴保存手段と、前記表示手段により表示される入力画面内に設けられた発行履歴表示エリアと、係員の操作に応答し、前記発行履歴保存手段に保存された発行履歴情報を検索して前記発行履歴表示エリアに表示し、当該発行履歴情報を現在入力している定期券情報として再利用可能とする制御手段とを具備している。
【発明の効果】
【０００８】
本発明によれば、過去の発行履歴情報の再利用が可能となり、操作性の向上と利便性が図れる定期券発行装置を提供できる。
【図面の簡単な説明】
【０００９】
【図１】本発明に係る定期券発行装置の外観を概略的に示す斜視図。
【図２】定期券情報の入力画面および発行履歴表示エリアの一例を示す模式図。
【図３】本発明に係る定期券発行装置の構成を概略的に示すブロック図。
【図４】定期券発行処理の流れについて説明するフローチャート。
【発明を実施するための形態】
【００１０】
以下、本発明の実施の形態について図面を参照して説明する。  
図１は、本発明に係る定期券発行装置の外観を概略的に示すものである。この定期券発行装置は、たとえば、交通機関の駅において係員の操作により所望の定期券等を発行するもので、係員が各種操作を行なうキーボード等の係員操作部１１、発行対象となる定期券に記録すべき定期券情報の入力画面等を表示する係員操作画面表示部１２、定期券購入者に対し運賃等を表示する客用表示器１３、定期券購入申込用紙を読取る申込用紙ユニット１４、入力された定期券情報を定期券媒体（磁気式原券、ＩＣカード等）に記録して定期券を発行する発券部１５、および、全体的な動作を司る制御部１６を有して構成される。
【００１１】
係員操作画面表示部１２には、たとえば、図２に示すような定期券情報の入力画面１７が表示されるとともに、当該入力画面１７内の例えば右下部には過去の発行履歴情報を表示する発行履歴表示エリア１８が設けられている。
【００１２】
図３は、本発明に係る定期券発行装置の構成を概略的に示すものである。制御部１６には、係員操作部１１、係員操作画面表示部１２、客用表示器１３、申込用紙ユニット１４、および、発券部１５がそれぞれ接続されていて、これらは制御部１６により制御される。制御部１６は、通信回線を介してホスト装置（上位装置）１９に接続されている。
【００１３】
制御部１６には、発行された定期券の定期券情報を発行履歴情報として例えば発行順に保存する記憶装置２０が設けられている。記憶装置２０に保存された発行履歴情報は、後述するように、係員の操作により検索されて発行履歴表示エリア１８に表示され、当該発行履歴情報を現在入力している定期券情報として再利用可能としている。
【００１４】
次に、このような構成において定期券発行処理の流れについて図４に示すフローチャートを参照して説明する。  
まず、定期券購入の申込みを受付けると、係員は、係員操作部１１において、定期券の新規発行を選択することにより（ステップＳ１）、制御部１６は、係員操作画面表示部１２に図２に示すような定期券情報（発行日、発行駅、発駅、経由駅、着駅、通用期間、運賃、氏名、年齢、性別等）の入力画面１７を表示するとともに、記憶装置２０から前回発行（１つ前）の定期券情報（発行履歴情報）を検索して、図２に示すように発行履歴表示エリア１８に表示する（ステップＳ２）。
【００１５】
ここで、係員は、発行履歴表示エリア１８に表示された前回発行の定期券情報を目視することで、今回発行する定期券の定期券情報と同様か否かを判定する（ステップＳ３）。  
この判定の結果、同様でない場合、係員は、係員操作部１１において、たとえば、発駅、着駅、経由駅を設定することにより（ステップＳ４）、制御部１６は、当該設定情報（発駅、着駅、経由駅）と同じ情報を持つ過去の発行履歴情報（同一経路の過去の発行履歴情報）を記憶装置２０から検索し（ステップＳ５）、発行履歴表示エリア１８に表示する（ステップＳ６）。  
このとき、同一経路（発駅、着駅、経由駅）の過去の発行履歴情報が複数存在する場合、たとえば、発行回数の多い順に表示してもよい。
【００１６】
ここで、係員は、発行履歴表示エリア１８に表示された発行履歴情報を目視することで、今回発行する定期券の定期券情報と同様か否かを判定する（ステップＳ７）。  
この判定の結果、同様でない場合、係員は、係員操作部１１において、たとえば、券種、期間、条件を設定することにより（ステップＳ８）、制御部１６は、当該設定情報（券種、期間、条件）と同じ情報を持つ過去の発行履歴情報（同一条件の過去の発行履歴情報）を記憶装置２０から検索し（ステップＳ９）、発行履歴表示エリア１８に表示する（ステップＳ１０）。  
このとき、同一条件（券種、期間、条件）の過去の発行履歴情報が複数存在する場合、たとえば、発行回数の多い順に表示してもよい。
【００１７】
ここで、係員は、発行履歴表示エリア１８に表示された過去の発行履歴情報を目視確認し、係員操作部１１において、たとえば、再利用の指示を入力することにより（ステップＳ１１）、制御部１６は、発行履歴表示エリア１８に表示された過去の発行履歴情報の各項目を入力画面１７に設定する（ステップＳ１２）。
【００１８】
ステップＳ３における判定の結果、発行履歴表示エリア１８に表示された前回発行の定期券情報が今回発行する定期券の定期券情報と同様の場合、あるいは、ステップＳ７における判定の結果、発行履歴表示エリア１８に表示された過去の発行履歴情報が今回発行する定期券の定期券情報と同様の場合、係員は、係員操作部１１において、たとえば、再利用の指示を入力することにより（ステップＳ１１）、制御部１６は、発行履歴表示エリア１８に表示された過去の発行履歴情報の各項目を入力画面１７に設定する（ステップＳ１２）。
【００１９】
次に、係員は、係員操作部１１において、当該定期券購入者の個人情報（氏名、年齢、性別等）を入力して入力画面１７に設定することにより（ステップＳ１３）、発行対象となる定期券に記録すべき定期券情報が完成する。
【００２０】
次に、係員は、係員操作部１１において、発行開始釦（図示しない）を押下すると（ステップＳ１４）、制御部１６は、発券部１５を動作させることにより、入力画面１７で入力された定期券情報を定期券媒体（磁気式原券、ＩＣカード等）に記録して定期券を発行する（ステップＳ１５）。
【００２１】
定期券の発行動作が終了すると、制御部１６は、今回発行した定期券の定期券情報を発行履歴情報として記憶装置２０に保存し（ステップＳ１６）、当該発行動作を終了する。  
なお、記憶装置２０への発行履歴情報の保存は、たとえば、発着駅の５０音順、経路の金額順あるいは条件の金額順に並べて保存することが考えられる。
【００２２】
このように、定期券情報を入力する入力画面１７内に発行履歴表示エリア１８を設け、この発行履歴表示エリア１８に過去の発行履歴情報を表示し、当該発行履歴情報を現在入力している定期券情報として再利用可能とすることにより、過去の発行履歴情報の再利用が可能となり、操作性の向上と利便性が図れる。
【符号の説明】
【００２３】
１１…係員操作部、１２…係員操作画面表示部（表示手段）、１３…客用表示器、１４…申込用紙ユニット、１５…発券部（発行手段）、１６…制御部（制御手段）、１７…入力画面、１８…発行履歴表示エリア、１９…ホスト装置（上位装置）、２０…記憶装置（発行履歴保存手段）。
【図１】
2010231372.tif 000003
【図２】
2010231372.tif 000004
【図３】
2010231372.tif 000005
【図４】
2010231372.tif 000006